(57)【特許請求の範囲】
【請求項１】
磁気テープを巻装した単一のリールを回転可能に収容するカートリッジケースを備え、該カートリッジケースには前記磁気テープの先端に該磁気テープを引き出すために固着された引出部材が出し入れされる開口部が開口され、この開口部にはケース壁面を薄くして引出部材の端部を奥の格納部に案内する挿入案内部が形成されてなる磁気テープカートリッジにおいて、
前記引出部材は両端部に固定部が形成されたリーダピンであり、板バネによるロック部材により前記固定部が前記格納部に脱着可能に保持されると共に、
前記挿入案内部は、その側端部の高さ方向の一部分が曲面又は斜面に形成されていることを特徴とする磁気テープカートリッジ。
【請求項２】
前記引出部材の端部を、前記挿入案内部の側端部形状に合わせて曲面又は斜面に形成したことを特徴とする請求項１に記載の磁気テープカートリッジ。
【請求項３】
前記引出部材の端部を、磁気テープ接続部の外径より小径に形成したことを特徴とする請求項１に記載の磁気テープカートリッジ。
【請求項４】
磁気テープを巻装した単一のリールを回転可能に収容するカートリッジケースを備え、該カートリッジケースには前記磁気テープの先端に該磁気テープを引き出すために固着された引出部材が出し入れされる開口部が開口され、この開口部にはケース壁面を薄くして引出部材の端部を案内する挿入案内部が形成されてなる磁気テープカートリッジにおいて、
前記開口部を摺動開閉するスライドドアのドアレールの底部に、金属部材等による補強部材をインサート成形で配設してなることを特徴とする磁気テープカートリッジ。
【請求項５】
磁気テープを巻装した単一のリールを回転可能に収容するカートリッジケースを備え、該カートリッジケースには前記磁気テープの先端に該磁気テープを引き出すために固着された引出部材が出し入れされる開口部が開口され、この開口部にはケース壁面を薄くして引出部材の端部を案内する挿入案内部が形成されてなる磁気テープカートリッジにおいて、
前記挿入案内部とカートリッジケースの角部との間に、ケース壁面の肉厚を薄くして衝撃を吸収する溝部を形成したことを特徴とする磁気テープカートリッジ。
【請求項６】
磁気テープを巻装した単一のリールを回転可能に収容するカートリッジケースを備え、該カートリッジケースには前記磁気テープの先端に該磁気テープを引き出すために固着された引出部材が出し入れされる開口部が開口され、この開口部にはケース壁面を薄くして引出部材の端部を案内する挿入案内部が形成されてなる磁気テープカートリッジにおいて、
前記引出部材を係止保持するロック部材を、挿入案内部とカートリッジケースの角部との間以外の部分に設置し、挿入案内部とカートリッジケースの角部との間の部分のケース壁面の肉厚を厚くしたことを特徴とする磁気テープカートリッジ。
【請求項７】
磁気テープを巻装した単一のリールを回転可能に収容するカートリッジケースを備え、該カートリッジケースには前記磁気テープの先端に該磁気テープを引き出すために固着された引出部材が出し入れされる開口部が開口され、この開口部にはケース壁面を薄くして引出部材の端部を案内する挿入案内部が形成されてなる磁気テープカートリッジにおいて、
前記開口部を摺動開閉するスライドドアの先端角部を切欠き、カートリッジケースにおける角部側のスライドドア摺動部の肉厚を厚くしたことを特徴とする磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容し、この磁気テープの先端に該磁気テープを引き出すためのリーダピン等の引出部材を固着してなる磁気テープカートリッジにおいて、上記引出部材を出し入れするケース開口部分の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端部にはリーダピン等の引出部材が固着され、この引出部材を記録再生装置側で引き出して磁気テープの巻き取り又は巻き戻しを行うようにドライブ装置が構成される。そして、上記引出部材はカートリッジケースの開口部から出し入れされるもので、この開口部にはケース壁面を薄くして引出部材の端部を誘い込み案内する挿入案内部を形成して、引出部材の出し入れが簡易に行えるように設けることが好適である。
【０００４】
【発明が解決しようとする課題】
しかして、上記のような磁気テープカートリッジにおいては、前記挿入案内部が磁気テープカートリッジの落下時の衝撃により変形して使用不能となる恐れがある。
【０００５】
つまり、図１５に例示するように、カートリッジケース４における磁気テープ６の先端に固着された引出部材５（リーダピン）を出し入れするための開口部１０は、略矩形状のケース４の角部４ａ近傍の側面に開口形成されており、開口部１０の内方の上下壁面には引出部材５の端部が挿入係止される凹状の格納部２０が設けられ、この格納部２０から開口端に向けてテーパー状の誘い込み構造に挿入案内部２１が設けられ、格納時の引出部材５の端部を案内する。そして、薄肉となっている挿入案内部２１はケース角部４ａの近傍に位置し、この角部４ａ（稜部）が下方となって落下した際、すなわち、角部４ａを直撃するように落下衝撃が作用すると、角部４ａから開口部１０の上下の壁面に衝撃波が伝播し、強度が低下している前記挿入案内部２１が鎖線で示すように座屈変形し、外表面に凸部が形成されドライブ装置に装填不能となると共に、挿入案内部２１による引出部材５の端部のガイドを行うことが不能となり、引出部材５の正常な出し入れが行えず、磁気テープカートリッジが使用不能となる問題を有する。
【０００６】
また、前記引出部材５はドライブ側の取出機構の係合によって開口部１０から引き出されることから、この開口部１０近傍のケース内領域は前記取出機構との干渉を避けるため、かつ磁気テープ６の走行領域を確保するために、この開口部１０付近の角部４ａ近傍にはビス等による上下ケース２，３を締結する結合部を配設することが困難で、開口部１０近傍の剛性が低くなり、前述のような落下衝撃に対する強度を高める点で不利となっている。
【０００７】
本発明は上記点に鑑みなされたもので、落下時等の衝撃によって開口部に設けた挿入案内部が変形するのを防止して信頼性を確保するようにした磁気テープカートリッジを提供せんとするものである。
【０００８】
【課題を解決するための手段】
上記課題を解決した本発明の磁気テープカートリッジは、磁気テープを巻装した単一のリールを回転可能に収容するカートリッジケースを備え、該カートリッジケースには前記磁気テープの先端に該磁気テープを引き出すために固着された引出部材が出し入れされる開口部が開口され、この開口部にはケース壁面を薄くして引出部材の端部を奥の格納部に案内する挿入案内部を形成したものにおいて、前記引出部材は両端部に固定部が形成されたリーダピンであり、板バネによるロック部材により前記固定部が前記格納部に脱着可能に保持されると共に、前記挿入案内部は、その側端部の高さ方向の一部分が曲面又は斜面に形成されていることを特徴とするものである。なお、上記曲面又は斜面は、前記挿入案内部の側端部の少なくとも１／２以上の高さに設けるのが望ましい。
【０００９】
また、前記引出部材の端部を、前記挿入案内部の側端部形状に合わせて曲面又は斜面に形成するのが好適である。また、引出部材の端部を、磁気テープ接続部の外径より小径に形成して、挿入案内部を小さくしてもよい。なお、前記挿入案内部の端部における曲面又は斜面は多数のリブを並設して形成してもよい。
【００１２】
本発明のさらに他の磁気テープカートリッジは、開口部を摺動開閉するスライドドアのドアレールの底部に、金属部材等による補強部材をインサート成形で配設してなることを特徴とするものである。
【００１３】
上記補強部材は、端部がＬ字形に屈曲した金属部材を使用し、該端部をカートリッジケースの側壁にインサートするのが好ましい。
【００１４】
本発明の他の磁気テープカートリッジは、挿入案内部とカートリッジケースの角部との間に、ケース壁面の肉厚を薄くして衝撃を吸収する溝部を形成したことを特徴とするものである。この溝部は、断面Ｖ溝、Ｕ溝などによって形成される。
【００１５】
本発明のさらに他の磁気テープカートリッジは、引出部材を係止保持するロック部材を、挿入案内部とカートリッジケースの角部との間以外の部分に設置し、挿入案内部とカートリッジケースの角部との間の部分のケース壁面の肉厚を厚くしたことを特徴とするものである。
【００１６】
上記ロック部材は、ケースの角部から離れた位置に、例えば線バネを熱カシメによって固着するように設ければよい。
【００１７】
本発明の他の磁気テープカートリッジは、開口部を摺動開閉するスライドドアの先端角部を切欠き、カートリッジケースにおける角部側のスライドドア摺動部の肉厚を厚くしたことを特徴とするものである。
【００１８】
【発明の効果】
上記のような本発明によれば、カートリッジケースの開口部に磁気テープの先端に固着した引出部材の端部を案内する挿入案内部を形成するについて、挿入案内部の側端部を曲面又は斜面に形成するか、ドアレールの底部に補強部材をインサート成形するか、挿入案内部とカートリッジケースの角部との間に衝撃を吸収する溝部を形成するか、引出部材を係止保持するロック部材を挿入案内部とカートリッジケースの角部との間以外の部分に設置して角部近傍の剛性を高めるか、スライドドアの先端角部を切欠きカートリッジケースの角部側のスライドドア摺動部の肉厚を厚くしたことにより、ケース角部が下方となって落下したときの落下衝撃による挿入案内部の座屈変形を防止することができ、ドライブ装置への装填性及び引出部材の案内動作の信頼性を高めることができる。
【００１９】
【発明の実施の形態】
以下、図面に示す各実施の形態に基づいて本発明を詳細に説明する。
【００２０】
＜第１の実施の形態＞
図１はこの実施の形態の磁気テープカートリッジの外観斜視図、図２はスライドドアが開いた状態の開口部の要部正面図、図３は図２のＸ−Ｘ線に沿う開口部近傍の断面平面図、図４は挿入案内部の正面図、断面側面図、引出部材の要部正面図である。
【００２１】
磁気テープカートリッジ１は、上ケース２と下ケース３とがビス等により締結されてなるカートリッジケース４内に、先端に引出部材としてのリーダピン５が固着された磁気テープ６（図３参照）を巻装した単一のリール（図示せず）が回動可能に収容されている。上記カートリッジケース４の一側壁には、磁気テープ６を引き出すための開口部１０が形成され、この開口部１０は閉方向に付勢されたスライドドア１１により開閉される。
【００２２】
また、磁気テープカートリッジ１はその不使用時に磁気テープ６が完全にリールに巻き込まれた状態で、先端のリーダピン５が開口部１０の近傍に形成された凹状の格納部２０に係止される。この格納部２０には開口部１０に向けて誘い込み構造に形成された挿入案内部２１（ガイド面）が連設され、奥部の格納部２０に向けてリーダピン５の端部を案内するように形成されている。また、開口部１０の内側の上下ケース２，３には、前記スライドドア１１が移動するドアレール１２（摺動溝）が形成されている。
【００２３】
前記リーダピン５は、磁気テープカートリッジ１を使用する記録再生装置が磁気テープ６を装置内のテープ走行路に導入するために保持して引き込むものであり、このリーダピン５を前記格納部２０に着脱可能に保持するバネ部材によるロック部材７（図３参照）が設置されている。そして、前記挿入案内部２１の両側端部及びリーダピン５の両端部の一部分が曲面（Ｒ形状）に形成されている。
【００２４】
リーダピン５は図２に示すように、磁気テープ６の先端部を断面Ｃ形（図３参照）のクランプ部材５５の嵌着によりクランプする径の小さい細軸クランプ部５１を中央に有し、この細軸クランプ部５１の上下両側に板状の上下フランジ部５２，５２が連設され、さらに上下フランジ部５２の上下に記録再生装置側から係合保持される細い係合部５３，５３がそれぞれ軸方向に延びて形成され、両端にはケース固定用の固定部５４，５４が形成されてなる。上記クランプ部材５５は樹脂成形品で、磁気テープ６を内周に介在させて細軸クランプ部５１に弾性的に嵌着してリーダピン５と磁気テープ６とを結合する。
【００２５】
また、前記リーダピン５の両端の固定部５４，５４が開口部１０近傍の上下ケース２，３内壁に形成された挿入案内部２１で案内され、内部の格納部２０にそれぞれ挿入係止されると共に、上下ケース２，３で挟持された板バネによるロック部材７によって両端固定部５４，５４が着脱可能に保持される。
【００２６】
前記ロック部材７は上下一体であり、板状の取付部７ａがケース壁面に沿うバネ保持部１３（図３参照）によって保持され、上記取付部７ａの先端の上下端部には開口部１０に向けて延びる腕部７ｂが連設され、この腕部７ｂの先端に保持部７ｃが設けられ、該保持部７ｃがリーダピン５の固定部５４に当接する。上記保持部７ｃはリーダピン５側に突出する山形に設けられ、先端側の斜面で開口部１０から挿入移動するリーダピン５に接触して撓み変形し、内部側の斜面でリーダピン５を格納部２０内に押圧保持するようになっている。
【００２７】
また、前記カートリッジケース１の開口部１０において、前記格納部２０は上下の間隔が前記リーダピン５の長さに設けられている。この格納部２０から開口部１０に向けて上下方向の間隔及び幅が広がるように開口端まで形成された前記挿入案内部２１は、先端部が上下ケース２，３のケース壁面を薄くしたテーパー状の傾斜面で構成されている。この挿入案内部２１を横切るように前記スライドドア１１が開閉摺動するドアレール１２が形成され、このドアレール１２の外側端部近傍から挿入案内部２１の傾斜面が形成されている。なお、ドアレール１２の底面に対して、前記挿入案内部２１の面は同一又は若干低く形成されている。
【００２８】
なお、上記スライドドア１１の先端部には外面側に突出する突起部１１ａが設けられ、この突起部１１ａに記録再生装置側の開操作部材が係止して該スライドドア１１の開作動を行うように設けられている。
【００２９】
そして、図４(Ａ)にも示すように、前記上下ケース２，３における開口部１０の前記挿入案内部２１の両側端部の一部分、好ましくはその高さの１／２以上の部分が曲面２１ａ（Ｒ形状）に設けられ、開口端における挿入案内部２１の両端部が曲面２１ａの分だけ厚肉に形成され、剛性が高まると共に応力集中が軽減されるようになっている。
【００３０】
また、図４(Ｃ)のように、前記リーダピン５の端部固定部５４の先端角部も上記挿入案内部２１の曲面２１ａに合わせて曲面５４ａ（Ｒ形状）に形成されている。この曲面５４ａは、固定部５４の係合部５３近傍には円筒面５４ｂが残り、端面中央には平坦面が残るように形成されている。さらに、図４(Ｂ)のように、前記格納部２０の周縁部分も上記リーダピン５の曲面５４ａに合わせて曲面に形成されている。
【００３１】
図５は本実施形態の他の態様を示し、前記上下ケース２，３における開口部１０の前記挿入案内部２１の全体が図５(Ａ)のように曲面２１ａに設けられている。また、前記リーダピン５の固定部５４の先端部も上記挿入案内部２１の曲面２１ａに合わせて、図５(Ｂ)のように、係合部５３側の円筒面５４ｂを残して端面全体が曲面５４ａ（Ｒ形状）に形成されている。さらに、格納部２０の底面部分も上記リーダピン５の曲面５４ａに合わせて曲面に形成されている。
【００３２】
図６はリーダピン５の他の態様を示し、その端部の固定部５４の曲面５４ａが、係合部５３側の部分についてまで、つまり前記円筒面５４ｂを設けることなく形成した態様である。図６(Ａ)は端面に平坦面が残るように曲面５４ａが形成され、図６(Ｂ)は全体が曲面５４ａに形成されている。その他は前記と同様に設けられている。
【００３３】
図７は本実施形態のさらに他の態様を示し、前記上下ケース２，３における開口部１０の前記挿入案内部２１の開口幅が小さく形成され、さらに開口端における挿入案内部２１の剛性が高まっている。
【００３４】
上記挿入案内部２１の両側端部は前記と同様に曲面２１ａ（Ｒ形状）に設けられ、これに応じて、図７(Ｂ)のように、リーダピン５の固定部５４の外径がフランジ部５２及びクランプ部材５５（磁気テープ接続部）の外径より小さく形成されると共に、固定部５４の先端部は係合部５３側の円筒面５４ｂを残して端面全体が曲面５４ａに形成されている。さらに、格納部２０の大きさも小さく、その底面部分は曲面に形成されている。
【００３５】
さらに、図８は本実施形態の他の態様を示し、前記上下ケース２，３における開口部１０の挿入案内部２１の両側端部は傾斜面２１ｂに設けられている。また、図８(Ｂ)のように、前記リーダピン５の固定部５４の先端角部は係合部５３側の円筒面５４ｂを残して上記挿入案内部２１の傾斜面２１ｂに合わせて傾斜面５４ｃに形成されている。さらに、前記格納部２０の周縁部分も上記リーダピン５の傾斜面５４ｃに合わせて斜面に形成されている。
【００３６】
なお、図示していないが、前述のような挿入案内部２１の曲面２１ａ及び傾斜面２１ｂは、挿入案内部２１の両側部に先端面が上記のような曲面又は傾斜面を有する多数のリブを配設することによって形成してもよい。
【００３７】
本実施形態のカートリッジケース１では、スライドドア１１によって開かれた開口部１０から引き出されたリーダピン５は、磁気テープ６の巻き戻しに応じてカートリッジケース４内に格納されるときに、その位置が格納部２０とずれていても、リーダピン５の固定部５４の端面が挿入案内部２１に当接して位置修正されつつ案内され、内部の格納部２０に引き込まれてロック部材７によって保持され、スライドドア１１が閉作動して開口部１０を塞ぎ、塵埃の侵入防止を行う。そして、搬送時等に磁気テープカートリッジ１が開口部１０近傍の角部４ａが下となって落下しても、挿入案内部２１の両側部を曲面形状又は斜面形状として剛性を高めていることで、挿入案内部２１の座屈変形を防止する。
【００３８】
＜参考例＞
参考例の磁気テープカートリッジのケースの要部断面正面図である。
【００３９】
この参考例の上下ケース２，３及びリーダピン５等の基本構造は前記第１の実施の形態又はに示した構造と同様であり、開口部１０の近傍のカートリッジケース４の上下ケース２，３の側壁を相互に固着して剛性を高めている。
【００４０】
つまり、カートリッジケース４における開口部１０には挿入案内部２１が形成され、この挿入案内部２１の近傍の上ケース２と下ケース３との側壁２ａ，３ａの当接部分に、上ケース２の側壁２ａ内面には当接面から下方に突出して弾性爪１４（係合部材）が突設され、一方、下ケース３の側壁３ａの内面には係合凹部１５が設けられ、上下ケース２，３の組み付けに伴い、前記弾性爪１４が係合凹部１５に係止して、上ケース２と下ケースとを開口部１０の近傍で固着してなる。
【００４１】
本参考例の他の態様としては、前記弾性爪１４によらずに、挿入案内部２１の近傍の上ケース２と下ケース３との側壁２ａ，３ａの当接部分を、接着剤による接着、超音波溶着等による熱溶着で固着して、剛性を高めるようにしてもよい。
【００４２】
本実施の形態によれば、カートリッジケース４の開口部１０近傍、特に挿入案内部２１の近傍で、上ケース２と下ケース３とをビスで締結する部分から離れた位置において、上下ケース２，３の側壁２ａ，３ａを接着、溶着、係止等によって固着したことで、挿入案内部２１近傍の剛性が高まり、落下強度が向上して挿入案内部２１の座屈変形が防止できる。
【００４３】
＜第３の実施の形態＞
図１０はこの実施の形態の磁気テープカートリッジの上ケースを除去した状態の要部平面図、図１１は図１０のＹ−Ｙ断面図である。
【００４４】
この例の上下ケース２，３及びリーダピン５等の基本構造は前記第１の実施の形態又は図１５に示した構造と同様であり、開口部１０の近傍のドアレール１２部分の剛性を高めている。
【００４５】
すなわち、前記開口部１０を開閉するスライドドア１１が摺動するドアレール１２の底部に、金属部材１６（補強部材）を上下ケース２，３の成形時にインサート成形で配設され、挿入案内部２１の近傍を補強している。なお、図示の挿入案内部２１の開口端は、上下ケース２，３の外表面より内側の位置に形成されている。
【００４６】
上記金属部材１６はステンレス鋼等の金属板で形成され、端部１６ａがＬ字形に屈曲し、この端部１６ａがカートリッジケース４の側壁３ａにインサートされている。
【００４７】
本実施の形態によれば、カートリッジケース４の開口部１０のドアレール部１６が金属部材１６のインサート成形によって補強され、挿入案内部２１の近傍の剛性が高まり、落下強度が向上して挿入案内部２１の座屈変形が防止できる。
【００４８】
＜第４の実施の形態＞
図１２はこの実施の形態の磁気テープカートリッジの上ケースを除去した状態の要部平面図である。
【００４９】
この例の上下ケース２，３及びリーダピン５等の基本構造は前記第１の実施の形態又は図１５に示した構造と同様であり、挿入案内部２１、格納部２０とカートリッジケース４の角部４ａとの間に、ケース壁面の肉厚を薄くして衝撃を吸収する溝部１７が形成されている。
【００５０】
すなわち、上記溝部１７は、下ケース３（上ケース２でも同様）の挿入案内部２１と角部４ａとの間に、開口部１０が開口した壁面の内面に上下方向に延びて形成された縦溝１７ａと、底壁の内面に斜めに形成された斜溝１７ｂと、開口部１０と直交する側壁の内面に上下方向に延びて形成された縦溝１７ｃとで構成されている。各溝１７ａ〜１７ｃは断面Ｖ形状に凹設されて、この部分のケース壁面の肉厚を薄くして角部４ａから伝わる衝撃を吸収し、挿入案内部２１の座屈変形を防止する。また、落下衝撃が過大な場合には、上記溝部１７が変形するか、クラックの発生により衝撃を吸収して挿入案内部２１の破壊を防ぐ。
【００５１】
なお、上記溝部１７の断面形状は、Ｖ溝に代えてＵ溝構造としてもよく、その深さ、幅等は挿入案内部２１の形態、カートリッジケース４の材質等に応じて設計される。
【００５２】
＜第５の実施の形態＞
図１３はこの実施の形態の磁気テープカートリッジの上ケースを除去した状態の要部平面図である。
【００５３】
この例の上下ケース２，３及びリーダピン５等の基本構造は前記第１の実施の形態又は図１５に示した構造と同様であり、開口部１０の角部４ａ側近傍のカートリッジケース４の剛性を高めている。
【００５４】
すなわち、リーダピン５を係止保持するロック部材１８が、下ケース３（上ケース２でも同様）における挿入案内部２１とカートリッジケース４の角部４ａとの間以外の部分、図示の例では角部４ａと反対側に設置され、挿入案内部２１とカートリッジケース４の角部４ａとの間の底壁部３ｄの肉厚を厚くし、剛性を高めている。
【００５５】
上記ロック部材１８は線バネで上下別体に構成され、湾曲した取付部１８ａが取付ボス１９の溶融による熱カシメで下ケース３に固着され、上記取付部１８ａから開口部１０に向けて延びる腕部１８ｂの先端に山形の保持部１８ｃが連接され、該保持部１８ｃがリーダピン５の固定部５４に当接し、リーダピン５を格納部２０内に押圧保持するようになっている。
【００５６】
本実施の形態によれば、ロック部材１８の配設位置を変更することにより、角部４ａ及び挿入案内部２１の近傍のケース壁面の厚みを大きくして剛性が高まり、落下強度が向上して挿入案内部２１の座屈変形が防止できる。
【００５７】
＜第６の実施の形態＞
図１４はこの実施の形態の磁気テープカートリッジの要部斜視図である。
【００５８】
この例の上下ケース２，３及びリーダピン５等の基本構造は前記第１の実施の形態又は図１５に示した構造と同様であり、開口部１０の角部４ａ近傍のカートリッジケース４の剛性を高めている。
【００５９】
すなわち、開口部１０を摺動開閉するスライドドア１１の先端角部１１ｂを切欠き、一方、下ケース３（上ケース２でも同様）における挿入案内部２１の角部４ａ側には凹状のドアレール１２は形成せず、この角部４ａ近傍のスライドドア摺動部３ｅの肉厚を厚くし、剛性を高めている。
【００６０】
本実施の形態によれば、スライドドア１１及びドアレール１２の形状変更により角部４ａ近傍のスライドドア摺動部３ｅの肉厚を大きくして剛性が高まり、落下強度が向上して挿入案内部２１の座屈変形が防止できる。
【００６１】
なお、前記した各実施の形態における剛性の向上構造は、組み合わせて設けるようにしてもよい。
【図面の簡単な説明】
【図１】本発明の第１の実施の形態による磁気テープカートリッジの外観斜視図
【図２】カートリッジケースのスライドドアが開いた状態の開口部近傍の正面図
【図３】図２のＸ−Ｘ線に沿う開口部近傍の断面平面図
【図４】挿入案内部の正面図、断面側面図及び引出部材の要部正面図
【図５】第１の実施の形態における他の態様を示す挿入案内部の正面図及び引出部材の要部正面図
【図６】第１の実施の形態におけるさらに他の態様を示す引出部材の要部正面図
【図７】第１の実施の形態における他の態様を示す挿入案内部の正面図及び引出部材の要部正面図
【図８】第１の実施の形態におけるさらに他の態様を示す挿入案内部の正面図及び引出部材の要部正面図
【図９】  参考例による磁気テープカートリッジのケースの要部断面正面図
【図１０】第３の実施の形態による磁気テープカートリッジの上ケースを除去した状態の要部平面図
【図１１】図１０のＹ−Ｙ線に沿う断面正面図
【図１２】第４の実施の形態による磁気テープカートリッジの上ケースを除去した状態の要部平面図
【図１３】第５の実施の形態による磁気テープカートリッジの上ケースを除去した状態の要部平面図
【図１４】第６の実施の形態による磁気テープカートリッジの要部斜視図
【図１５】従来のカートリッジケースの要部斜視図
【符号の説明】
１    磁気テープカートリッジ
２    上ケース
３    下ケース
４    カートリッジケース
4a    ケース角部
５    リーダピン（引出部材）
６    磁気テープ
７,18     ロック部材
10    開口部
11    スライドドア
12    ドアレール
14    弾性爪（係合部材）
15    係合凹部
16    金属部材（補強部材）
17    溝部
20    格納部
21    挿入案内部
21a   曲面
21b   斜面
54    固定部
54a   曲面
54b   斜面
【図１】
0004146021.tif 000002
【図２】
0004146021.tif 000003
【図３】
0004146021.tif 000004
【図４】
0004146021.tif 000005
【図５】
0004146021.tif 000006
【図６】
0004146021.tif 000007
【図７】
0004146021.tif 000008
【図８】
0004146021.tif 000009
【図９】
0004146021.tif 000010
【図１０】
0004146021.tif 000011
【図１１】
0004146021.tif 000012
【図１２】
0004146021.tif 000013
【図１３】
0004146021.tif 000014
【図１４】
0004146021.tif 000015
【図１５】
0004146021.tif 000016